(57)【要約】【課題】  経済的で便利な静電気帯電検知器や、コンパクトで安価の雷検知器・地震検知器が今までなかった。【解決手段】  伸縮自在の導体でできたアンテナＡ・Ｂの２本の間に、電界の変動をキャッチした時だけ電流が流れる増幅回路と表示装置・出力装置を内臓したカプセルを設けた、静電気の変動・雷雲の電界の変動・超低周波の電磁波の変動検知装置。【選択図】    図２
2006090998.tif 000002
【特許請求の範囲】
【請求項１】
伸縮自在の導体でできたアンテナＡ（１）・Ｂ（３）の２本の間に、空中配線して、電界の変動を感知した時だけ電流が流れる増幅回路と、表示装置を内臓したカプセルＡ（４）を、外表面撥水加工し、下端にカプセルカバー（６）を突設したカプセルＢ（５）で、結露防止リング（７）により絶縁結合で内包し、回路の入力部とアンテナＡ（１）の下端とビニール線（９）で巻き付けなどして結合をし、アンテナＢ（３）とは回路のアースと結合してなる静電気の変動・雷雲の電界の変動・超低周波の電磁波の変動検知装置。
【請求項２】
空中配線の代わりに高絶縁基板を使用し、電気回路を設けた請求項１の検知装置。
【請求項３】
請求項１の検知装置に送信機を併設して成る検知装置。
【発明の詳細な説明】
【技術分野】
【０００１】  本発明は、雷雲の移動に伴う電界の変化及び、地下の岩盤が大破壊して起こる直下型地震の前の岩盤の割れる時に発する電磁波や、作業する人間の静電気の帯電の状態を正確に検知表示する検知装置に関するものである。
【背景技術】
【０００２】  従来、雷雲の移動に伴う電界の変化及び、地下の岩盤が大破壊して起こる直下型地震の前の岩盤の割れる時に発生する電磁波を検知する検知器がほとんどなかった。あったとしても非常に大掛かりで高価のものであったり、なまずや動物を使っての原始的なものであったりした。又、従来の雷検知器などは、遠地落雷によって生じる一定値以上の衝撃性電磁波強度を検出して、被電圏が該電検知器に接近した事を表示器に表示するように、実際に落雷してからの検知であった。
又、従来の帯電静電気検知装置などは、大型で持ち運びが困難だったり、電源を入れた時だけ作動するというもので、効率的使用・経済的使用には不向きであったり、又高価であった。
【発明の開示】
【発明が解決しようとする課題】
【０００３】  従来の落雷時のラジオノイズや落雷の衝撃波強度をコヒーラ等で検出して、被電圏での落雷の危険性を感知する検知器では、最初の場所に落雷する予知はできない。
本発明の検知装置は、落雷前の雷雲の移動に伴う電界の変化を落雷の前に正確に検知して、落雷の危険性を目に見える形で正確に表示するものである。
又、従来の落雷前の雷検知器においては、それなりの電波を雷雲の電界層に発信し、それを受信し、その電波の波形  強弱などで落雷を感知するもので、大掛かりで人手も入り経費のかかる方法であった。
本発明の検知装置は、低コストで超小型化に成功し、それを格安で提供しようとするものである。
又、最近花火工場・半導体工場やセルフサービスのガソリンスタンドなどで問題になっている静電気を帯電しているかいないかのチェックに、目や耳で簡単に確認できる小型格安の静電気帯電検知器がなかった。
本発明検知装置は、静電気帯電物体及び作業者の静電気の帯電を、目や耳に検知・表示し、警報する格安の小型静電気帯電検知器としても提供できるのである。
又、地下の岩盤の大破壊によって起こる直下型地震の前に発生する岩盤の割れによって発生する電磁波を検知する装置が、従来あるものは大掛かりで高価のものであったり、「なまず」や「鳥」などの動物頼りであったりし、これはというものがまだ確定していない状態である。
本発明の検知装置は、この岩盤の割れによって発生する電磁波をも正確に検知しようとするものである。
【課題を解決するための手段】
【０００４】  本発明の検知装置は、雷雲の移動によって生じる電界の変動を確実に感知するように、高インピーダンスの高増幅の回路を実現する為、回路の配線を空中配線とし、高抵抗の代わりにダイオードの逆もれ電流を利用するものである。
検知装置の具体的な構造は、図１に示す如くロッドアンテナのような電気の導体の金属などで出来ているアンテナＡ（１）とアンテナＢ（３）、その間に増幅回路及び表示装置（２）を設けて、全体として途中少し膨らんだ所のある棒状を形成するものである。
アンテナＡ（１）の上端とアンテナＢ（３）の下端の間の全長Ｌの長さで感度が決定するので、本発明検知装置に使用のアンテナＡ（１）・Ｂ（３）は、伸縮可変が自由にできるロッドアンテナなどを使用し、全長Ｌの長さを自由に変えられ感度調節が出来るようになっている。実験の結果約０．５〜２ｍ位の長さが最良状態である。このアンテナＡ（１）の上端とアンテナＢ（３）の下端の間の電界を増幅回路（２）により検出して、それを光や音で表示し、又その信号を無線などにより遠隔地の監視所等に送り、落雷や地震の危険を知らせるものである。
ここにおける増幅回路（２）は、アンテナＡ（１）とアンテナＢ（３）の間にあるカプセルＡ（４）に内臓されており、電界の変動によるアンテナＡ（１）とアンテナＢ（３）の間の電子のやりとりを検出する回路で、図３に回路図を示す。雷雲の移動によって起こる超低周波の電磁波だけを感知し、高周波のノイズやラジオなどの電波には反応し切れず感知しない増幅回路で、増幅度を数千万〜数億倍としたものである。その倍率を保証維持する為に、基板を使うと材質を吟味しないと絶縁の問題が生じ、誤動作が生じる為空中配線とし、絶縁度を高め、しかもコストを下げた。又、トランジスタにダーリント型などの素子を用いたので高入力インピーダンスとなる為、誤動作防止の為、高いインピーダンスの抵抗の代わりにダイオードを使用し、ダイオードの逆もれ電流を利用した。もちろん市販されている一般的でない超高抵抗を使用しても同様の動作はする。
又、正負のどちらの電界をも検出出来るように図３の回路図のようにアンテナＡ（１）の下端に回路の信号入力部から引き出したビニール線を巻いて結合した。直接接合の場合は、正負どちらかだけを検出する回路となる。
以上の増幅回路及び信号表示装置・信号出力装置（２）を内臓し、結露によるショートを防ぐために、予め内部乾燥させてから全体を密閉して出来ているカプセルＡ（４）、そのカバーのカプセルＢ（５）は、雨や夜露が中に入らない材質の合成樹脂などで出来ており、カプセルの表面は水分をはじく撥水加工が施されている。アンテナなどの接合部も水分が中に入らないよう密閉状態の構造となっている。又、図２のようにカプセルＢ（５）の下端にスカートのようなカプセルカバー（６）をカプセルＢ（５）の下端より突出して付けることにより、雨によるアンテナＡ（１）とアンテナＢ（３）のショートを防止する。図２の結露防止リング（７）は、カプセルＡ（４）とカプセルＢ（５）の絶縁結合の役目と結露によるショートを防止する為に用いるもので、絶縁体で温度変化に強い材質で出来ている物体である。
【発明の効果】
【０００５】  本発明は、上記のとおり構成されているので次に記載する効果を奏する。
【発明を実施するための最良の形態】
【０００６】  本発明の検知装置は、以上のような構造・増幅回路・表示装置付きにしたことにより、雷雲の移動によって生じるゆっくりとした数百ヘルツ程度以下の電界の変化の有無だけを確実に検知することが出来るようになったのである。高周波のノイズや他のラジオなどの電波には反応し切れず、感知せず検知しないのである。
又、目的の電界の変化を検知した時だけ検知回路に電流が流れ、目に見える形、耳に聞こえる形で表示するようになっているので、電源は電池で充分であり、経済的であり、太陽電池と併用使用すれば半永久的に使用出来る。そして全体としてはコンパクトとなり、携帯・移動が楽に出来るようになったのである。
【実施例】
【０００７】  本発明の検知装置を必要な場所に設置しておけば、静電気の帯電物を近づけたり、静電気に帯電した作業者が近づいただけで、光や音で表示してくれる。【０００８】  本発明の検知装置を人や建物から約５ｍ以上離して設置して使用すれば、雷雲が近づいた時に、光や音で表示してくれる。又、本発明の検知装置複数本を隔地に適当間隔で設置し、送信機と受信機を併用して使用すれば、遠隔地で雷雲の発生状況や、移動方向・移動速度などの雷雲の移動状態がはっきりと把握できるのである。【０００９】  又、本発明の検知装置は、地下の岩盤が大破壊して起こる直下型地震の前の岩盤の割れによって起こる電磁波や、その時に発生するとされる地表と空との電界の変動に対しても感知し、検知表示が可能であると思われる。なぜなら大地震の前に地震雲ができたり、「なまず」や「動物」が騒ぐと言われていることから、電界の変化が起きていると思われるのである。
【産業上の利用可能性】
【００１０】  本発明検知装置は、小型で軽量なので移動が自由自在にでき、しかも従来の静電気検知器に比べて、検知した時だけ電源を使用し、経済的で格安なのでとても利用し易い。静電気を帯びた帯電物や帯電した作業者が近づいただけで検知表示・警報してくれるので、花火工場やセルフサービスのガソリンスタンドでの人体の帯電の有無の監視が常時容易に出来ることから、静電気による爆発・火災を未然に防ぐことが出来る。
又、半導体工場での人体・器具の帯電監視が常時容易に出来、非常に作業効率向上に役立つ静電気帯電検知器として成り立つものである。【００１１】  本発明検知装置を複数本と送信機を複数機、受信機と併用して総合使用すれば、雷雲の発生から移動方向・移動速度などの移動状態を正確に把握できるので、雷の確実な予知が出来るのである。よって電話線や電灯線を通して入り込む雷のサージが引き起こすパソコン・テレビなどの電気製品の破壊を未然に防いだり、ゴルフ場での雷事故の予防にも用いることができる。よって本発明検知装置は、雷雲検知器としても成り立つものである。【００１２】  本発明の検知装置は、地下の岩盤が大破壊して起こる直下型地震の前、岩盤が割れる時に発生するとされる電磁波又は、それに伴う地表と空との電界の変動に対しても感知し、検知表示できる可能性が非常に高いので、隔地に一定間隔で送信機と併用して複数本本発明検知装置を設置し、その信号を一定個所で受信できるようにして置けば、１時間前〜１０日位前の地震予知の可能性が非常に高いのである。本発明検知装置は以上のように地震予知器としても成り立つのである。
これから数年の間に必ず起きるとされる東海・関東地方の地震を予知したいものである。
【図面の簡単な説明】
【図１】  本発明検知装置の全体概略説明図である。
【図２】  本発明検知装置の構造を示した中央縦割り断面図である。
【図３】  本発明検知装置の増幅回路の１例を示す回路図である。
【符号の説明】
１  アンテナＡ
２  増幅回路・表示装置・出力装置
３  アンテナＢ
４  カプセルＡ
５  カプセルＢ
６  カプセルカバー
７  結露防止リング
８  ＬＥＤ
９  ビニール線
【図１】
2006090998.tif 000003
【図２】
2006090998.tif 000004
【図３】
2006090998.tif 000005